【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
薬剤の流体を注入するための流体注入システムであって、流体を収容し、且つ線形作動メンバ（３１０）を有するポンプ駆動システムに使用するのに適した容器を備えており、当該容器が、
注入セット（２００）に接続する近位端、開いた遠位端、前記近位端から前記遠位端まで軸方向に沿って延びる円筒状容器壁（１０１）、及び容器内にスライド可能に且つ摩擦により取り付けられるピストンであって、第１の剛性を有する材料からなる、少なくとも一つの周囲シール部（１２１）を有するピストン本体（１２０）を備え、
前記少なくとも一つのシール部（１２１）が、前記容器壁（１０１）の内側表面に接して容器を密封するピストンを備え、
前記ピストンが更に、中央部（１１５）及び、一又はそれ以上の壁との係合部（１１２）を有する摩擦増強メンバ（１１０）を備え、
前記壁との係合部の各々が、当該壁との係合部を前記中央部に架橋する可撓性の柄部によって前記中央部に連結され、
前記壁との係合部の各々（１１２）が、少なくとも部分的に、前記第１の剛性よりも大きい剛性を有する材料から作製されており、且つ前記容器の円筒状壁（１０１）に摩擦により係合して、前記円筒状壁（１０１）に対し、半径方向に沿って外側に向かう力成分を加えるように構成されており、
前記壁との係合部が、前記中央部に対して、軸方向にほぼ垂直な方向にのみ移動可能に、前記可撓性の柄部が構成されることを特徴とする、流体注入システム。
【請求項２】
前記可撓性の柄部の少なくとも一部が、長軸方向に延びている部品であって、前記軸方向にほぼ垂直な方向に対して、２０度より大きく、６０度より大きく、概ね９０度の角度を有するように構成されることを特徴とする、請求項１記載の流体注入システム。
【請求項３】
前記壁との係合部（１１２）の少なくとも一つが、容器の長軸にほぼ垂直な平面内に延びることを特徴とする、請求項１又は２記載の流体注入システム。
【請求項４】
前記壁との係合部（１１２）の少なくとも一つが、容器の長軸に垂直な平面に対して傾いていることを特徴とする、請求項１又は２記載の流体注入システム。
【請求項５】
前記壁との係合部（１１２）の少なくとも一つが、円弧状の表面を有し、当該円弧状の表面が、当該円弧状の表面に沿って、前記円筒状容器壁（１０１）の内壁表面に接する形状を有することを特徴とする、請求項１ないし４のいずれか一項記載の流体注入システム。
【請求項６】
前記ピストン本体（１２０）が、流体に接する第１の外側の近位側面と、空洞へと続く開口を画定する外側の遠位側面とを有すること、及び前記摩擦増強メンバ（１１０）に、前記空洞内部で前記摩擦増強メンバ（１１０）を固定保持する手段（１１４）が設けられていることを特徴とする、請求項１ないし５のいずれか一項記載の流体注入システム。
【請求項７】
前記ピストンが、前記線形作動メンバ（３１０）に解放可能に結合し、且つメンバ自体を前記摩擦増強メンバ（１１０）及び／又は前記ピストン本体（１２０）に固定保持する、第３のメンバ（１３０）を更に備えることを特徴とする、請求項６に記載の流体注入システム。
【請求項８】
前記線形作動メンバ（３１０）が、一又はそれ以上の突出部（３１１）を有すること、及び前記第３のメンバ（１３０）が、前記一又はそれ以上の突出部（３１１）に係合することを特徴とする、請求項７に記載の流体注入システム。
【請求項９】
前記摩擦増強メンバ（１１０）が、少なくとも部分的に鋼又はバネ鋼から作製されることを特徴とする、請求項１ないし８のいずれか一項記載の流体注入システム。
【請求項１０】
前記ピストン本体（１２０）及び少なくとも一つのシール部（１２１）が、一体成形されることを特徴とする、請求項１ないし９のいずれか一項記載の流体注入システム。
【請求項１１】
前記ピストン本体（１２０）が、少なくとも一つのシール部（１２１）の材料よりも大きい剛性を有する材料から作製されること、及び前記ピストン本体（１２０）と前記摩擦増強メンバ（１１０）とが、一体成形されることを特徴とする、請求項１ないし９のいずれか一項記載の流体注入システム。
【請求項１２】
前記摩擦増強メンバ（１１０）が、前記ピストン本体（１２０）によって部分的に包囲され、前記ピストンが、前記ピストン本体（１２０）と前記摩擦増強メンバ（１１０）とを一体成形することによって形成されることを特徴とする、請求項１ないし９のいずれか一項に記載の流体注入システム。
【請求項１３】
薬剤の流体の注入に適した流体注入システムの組み立て方法であって、
線形作動メンバ（３１０）を有する駆動システムを備えた、流体注入ポンプ（３００）を供給する工程、
流体を収容する容器（１００）であって、注入セット（２００）に接続する近位端と、開いた遠位端と、前記近位端から前記遠位端まで、軸方向に沿って延びる円筒状容器壁（１０１）と、容器内にスライド可能に、且つ摩擦により取り付けられて、容器内部で流体の漏れを防止する障壁を形成するピストンと、から構成され、当該ピストンは、第１の剛性を有する材料からなる、少なくとも一つの周囲シール部（１２１）を有するピストン本体（１２０）を備え、前記少なくとも一つのシール部（１２１）が、容器壁（１０１）の内側表面に接して、容器を密封するピストンとを備える容器を供給する工程、及び
前記容器を前記注入ポンプに結合する工程を含み、
前記容器を密封するピストンが、更に、中央部（１１５）及び、一又はそれ以上の壁との係合部（１１２）を有する摩擦増強メンバ（１１０）を備え、
前記壁との係合部の各々が、当該壁との係合部を前記中央部に架橋する、可撓性の柄部によって前記中央部に連結され、
前記壁との係合部の各々（１１２）が、少なくとも部分的に、前記第１の剛性よりも大きい剛性を有する材料から作製されており、且つ前記容器の円筒状壁（１０１）に摩擦により係合し、前記円筒状壁（１０１）に対し、半径方向に沿って外側に向かう力成分を加えるように構成され、
前記壁との係合部が、前記中央部に対して、軸方向にほぼ垂直な方向にのみ移動可能に、前記可撓性の柄部が構成されている
ことを特徴とする流体注入システムの組み立て方法。
【請求項１４】
請求項１ないし１２のいずれか一項記載の流体注入システムに使用される容器であって、患者の身体に注入される流体を収容し、且つ線形作動メンバ（３１０）を有する駆動システムと共に用いられ、当該容器が、
注入セット（２００）に接続する近位端、開いた遠位端、前記近位端から前記遠位端まで軸方向に沿って延びる円筒状容器壁（１０１）、及び容器内部にスライド可能に、且つ摩擦により取り付けられて、容器内部で流体の漏れを防止する障壁を形成するピストンであって、第１の剛性を有する材料からなる、少なくとも一つの周囲シール部（１２１）を有するピストン本体（１２０）を備え、
前記少なくとも一つのシール部（１２１）が、前記容器壁（１０１）の内側表面と接して容器を密封するピストンを備え、
前記ピストンが、中央部（１１５）及び、一又はそれ以上の壁との係合部（１１２）を有する摩擦増強メンバ（１１０）を更に備え、
前記壁との係合部が、当該係合部を前記中央部に架橋する可撓性の柄部によって前記中央部に連結し、前記壁との係合部（１２１）の各々が、少なくとも部分的に、前記第１の剛性より大きい剛性を有する材料から作製されており、且つ前記容器の円筒状壁（１０１）に摩擦により係合して、前記円筒状壁（１０１）に対し、半径方向に沿って外側に向かう力成分を加えるように構成され、
前記可撓性の柄部は、前記壁との係合部の各々が、前記中央部に対して、軸方向にほぼ垂直な方向にのみ移動可能に構成されることを特徴とする、前記流体注入システムに使用される容器。
【請求項１５】
前記可撓性の柄部の少なくとも一部が、長軸方向に延びている部品であって、前記長軸方向にほぼ垂直な方向に対して、２０度より大きく、６０度より大きく、概ね９０度の角度を有するように構成されることを特徴とする、請求項１４記載の流体注入システムに使用される容器。